(57)【要約】      （修正有）【課題】従来技術に比較して、小さな面積の設置で、容易で安全・安価更に、各々家庭において入浴の為の燃料費が軽減、比例して、地球温暖化要因のCO2排出の激減にも貢献する、地球に優しいエコな構造手段を提供する。【解決手段】常温水の通った、配管の一部貯水槽部分に、ほぼ一度の入浴等に必要な適水量を流動的に蓄え、日当りの良い屋根の上等に配管設置して、太陽熱を照射蓄熱する。尚、裏面の日陰部分にも反射体で照射し、全周面から太陽熱を蓄熱し、更に、真空状減圧空間の断熱作用で貯水槽内の温水温度の低下を遅延して、使用時に必要に応じて補助過熱器・混合カランから吐出に至る。【選択図】図１
2011202830.tif 000002
【特許請求の範囲】
【請求項１】
家庭生活習慣規模での、一度の入浴に使用する必要な適量の湯水を、流動的に蓄えることを特徴とする、太陽熱を蓄える貯水槽。
【請求項２】
円筒型パイプ状貯水槽の太陽光熱照射と（日陰部分）裏面にも更に、太陽光熱を照射の為の反射体を設け貯水槽の全周囲に太陽光熱を照射蓄熱することを特徴とする請求項1に記載の太陽熱を蓄える貯水槽。
【請求項３】
貯水槽の周囲全表面を透明状壁で密封し、貯水槽と透明壁の間に真空状減圧空間層を形成、太陽光熱は透明壁を通過し貯水に蓄熱尚、蓄熱温水温度が真空減圧空間層の断熱効果で、下がるのを遅延維持することを特徴とする請求項1に記載の太陽熱を蓄える貯水槽。
【発明の詳細な説明】
【技術分野】
【０００１】
本発明は、主に家庭で一度の入浴等（以下入浴と言う）に使用する、適量な流動的常温
水を円筒形パイプ（以下パイプと言う）の中で効率よく太陽熱によって温め、その温度の放熱を遅延する貯水槽に関する。
【背景技術】
【０００２】
従来の、家庭での入浴の給湯に、太陽熱を流動的に蓄えた温水（以下温水と言う）を利用すれば、常温水の全てを化石燃料等の燃焼で湯を沸かす給湯にくらべて、太陽熱で温めて給湯した湯量だけ、燃料の燃焼が不要で、結果その分CO2等の温室効果ガス（以下CO2と言う）の排出が無いという基本的な効果がある。
【０００３】
現状は、地球規模的な大量の化石燃料の燃焼で発生するCO2の排出量が増して、結果異常に増えたCO2の膜によって太陽熱で大地に蓄熱した熱の放出が妨げられている。
【０００４】
気象温度環境のバランスが崩れるこの地球温暖化を解消すると言う課題を、日本でも1990年を基準に2020年までに25％削減するという宣言の結果、各々の家庭にも削減負担を割り当てる指示が検討されて、その対策が必須課題となっている。
【０００５】
注目は、各々の家庭生活範囲において、入浴の為に常温水を湯に沸かす家庭に発生するCO2の排出量が、大部分を占めている現状がある。
【０００６】
上記の湯を沸かすには、主にガス・石油・電気を多く消費して該、燃料費の出費もかさみ、課題のCO2も比例して異常に多く排出している。
【先行技術文献】
【特許文献】
【０００７】
【特許文献１】特開2004-205062号公報
【特許文献２】特開2004-176966号公報
【発明の概要】
【発明が解決しようとする課題】
【０００８】
一度の入浴に必要とする適量蓄熱温水（以下温水と言う）を満たすには、特許文献1及び文献2の様な平板型構造の太陽蓄熱装置では、本発明の円筒型装置に比較して設置面積が約3倍も大きくなるという課題がある。
【０００９】
尚、平面型装置では、表平面のみに太陽光熱を照射して蓄熱しているので、全平面の2分の1を占める裏面部分が日陰になり、太陽の照射が無く、同じ貯水量に対して蓄熱の効率が悪い上、設備面も大きく設置費用も高額等で、幅広い普及に至らない課題がある。
【００１０】
蓄熱した温水温度より外気温度が下がった時に、温水と外気の接触面が多い為に急速に放熱しやすいと言う課題もある。
【課題を解決するための手段】
【００１１】
本発明は、温水の確保のための貯水槽を円筒型パイプ形状にする手段で例えば、図5−Aに示す平面型装置の照射面と同面積のパイプ断面積・同貯水量の、図5−B円筒型パイプを形成して尚、円筒形日照面の照射と同時に、裏面の日陰部分を反射体で照射することで、前述の平面槽と同じ照射面で、設置面積が約3分の1と大幅に少なく効率のよい構造手段で構成したものである。
【００１２】
上記パイプで形成した貯水部分の全周囲を樹脂等の透明状壁（波状形の壁で覆うと集光レンズの作用で、より蓄熱ができる。）（以下壁と言う）で覆い該、パイプとの間に真空状減圧空間（以下空間と言う）を形成して蓄熱温水と外気との断熱効果を高める構造に構成した。
【００１３】
太陽光熱を、四季を通じて大差なく常に同方向から、効率よく容易なC−蓄熱策と、蓄熱した温水温度の（放熱遅延）保持の為の壁・断熱の空間で、容易なD−放熱遅延策の両者に利点のある構造で構成した。
【００１４】
貯水槽本体表面に照射と同時に、4図に示す位置に集光反射体を設け本体の裏面の日陰部分に、反射光熱を照射して、本体の全周面で蓄熱する構造に構成した。
【００１５】
以下、図と符号に基づき説明する、1−パイプ全周を、2−壁で巻き付けるように覆い3−空間を通過して貯水槽に太陽光熱の照射を受ける手段で構成した。
【発明の効果】
【００１６】
本発明は、上述のように太陽の恵みを受け温められた、4−適温水を蓄えるコンパクトで安心・安全に、光熱費の軽減とそれに比例して、CO2の排出が削減される効率のよい、地球に優しい設備を安価に提供するものである。
【００１７】
CO2の過剰排出で、外気上空にCO2の膜が異常に形成され、その温室効果で地球温暖化を引き起こしているメカニズム現象を、逆に本発明は、太陽光熱が2−壁を通過して1−貯水槽に蓄熱して、4−貯水槽内に蓄熱した5−温水を、2−壁（CO2）の膜による地球温暖化現象のように見立てた温室効果によって、貯水槽に蓄熱した温水熱を3−空間2−壁の層で断熱、外気とシャットアウトして、放熱を遅延する効果がある。
【００１８】
太陽光は2−壁を通過し5−貯水を温め、次に3−空間の断熱効果で温水熱の放熱を遅延し、更に日照りがあれば四季を通して、外気の温度との差もほとんど関係なく蓄熱し、貯水槽内の5−温水は外気が下がった場合3−空間の断熱効果で（魔法瓶容器の断熱作用のように）5−温水を効率よく維持する効果がある。
【００１９】
貯水の温水利用は7−補助過熱及び温度調節混交8−カラン等を介して適温水を浴室等に供給するものである。
【００２０】
主に、個々の家庭で直接、間接的に炊事−空調−風呂の湯沸かし他を、例えば、ガスの燃焼で賄った場合に、排出するCO2を100％とすると、入浴に要する湯を沸かすのみで発生する排出量は、某ガス会社の試算によると約80％と大部分を占めている。そこで本発明の温熱装置を採用することにより、湯を沸かしてCO2も激減して地球温暖化阻止にも貢献する効果がある。
【００２１】
太陽熱を蓄える貯水槽の部分の円筒型長手面を、東・西方向に尚、日の出から日没まで日光の当たる場所に設置することで、図4に示す様に、ほぼ四季を通じて南方向から効率よく太陽の照射光熱を（上述の反射光熱も同じく）受ける利点がある。
【図面の簡単な説明】
【００２２】
【図１】円型ｂ−ｂ断面拡大図。
【図２】貯水槽長手方向ａ−ａ断面図。
【図３】日陰部分に太陽光熱を照射する為の反射体位置を示す斜景と断面図。
【図４】太陽光熱の照射面積と貯水容量が等しい、本発明の円筒型蓄熱装置。
【図５】従来のＡ−平面型蓄熱装置と、本発明のＢ−円筒型の設置断面積の比較図。
【図６】太陽熱を流動的に蓄えた貯水を、カランまでの通過経路順序を示す一例図。
【発明を実施するための形態】
【００２３】
2−壁・3−空間層を太陽光熱が通過貯水に蓄熱し、又外気の温度が下がると該、3−真空減圧層の断熱効果で5−温水の放熱を防ぐ構造で構成した。
【実施例】
【００２４】
図6に示すように、常温水に太陽熱を蓄熱して配管部分槽を流動的に通過、6−補助加熱器を介して7−カランから吐水までの順路を示すものである。
【００２５】
本発明の太陽熱を蓄える水槽の装置は、図1に示すように、2−壁及び3−空間を太陽光熱が通過1−貯水槽内に太陽熱を蓄熱該、5温水を目的の使用外に放熱を削減するように構成した。
【符号の説明】
【００２６】
1  配管途中の太陽熱を蓄える貯水槽部分
2  透明状の壁（波状形レンズ壁）
3  真空状減圧空間
4  貯水槽内
5  貯水
6  補助過熱器
7  太陽光熱反射体
8  湯水混合・温度調節カラン・シャワー等
9  浴槽
10  屋根等設置箇所
11  太陽光
12  配管
13  水流方向
【図１】
2011202830.tif 000003
【図２】
2011202830.tif 000004
【図３】
2011202830.tif 000005
【図４】
2011202830.tif 000006
【図５】
2011202830.tif 000007
【図６】
2011202830.tif 000008